(57)【特許請求の範囲】
【請求項１】
ベースバンドの信号を一方向に送信する信号チャンネルと、制御に利用される双方向の制御チャンネルとを少なくとも有するインタフェースを介して、１以上の装置と接続される通信装置において、
前記信号のフォーマットを変換する変換処理が可能であるかどうかを表す可否情報を少なくとも含む、前記インタフェースを介して接続された１以上の装置それぞれに関する機器情報を取得する機器情報取得手段と、
前記通信装置、及び、前記変換処理が可能な前記１以上の装置の中から、１つの装置を、前記変換処理を実行すべき実行装置として選択する選択手段と、
前記実行装置が、前記通信装置である場合、前記変換処理が可能な前記１以上の装置すべてに、前記変換処理の禁止を、前記制御チャンネルを介して指令し、前記実行装置が、前記変換処理が可能な前記１以上の装置のうちの１つである場合、前記変換処理が可能な前記１以上の装置のうちの、前記実行装置に、前記変換処理の実行を、前記制御チャンネルを介して指令するとともに、前記通信装置での前記変換処理を禁止し、他の装置に、前記変換処理の禁止を、前記制御チャンネルを介して指令する指令手段と
を備える通信装置。
【請求項２】
前記通信装置、及び、前記変換処理が可能な前記１以上の装置それぞれが行う前記変換処理の優劣を表すレベル情報を取得するレベル情報取得手段をさらに備え、
前記選択手段は、前記レベル情報に基づいて、前記実行装置を選択する
請求項１に記載の通信装置。
【請求項３】
前記選択手段は、ユーザの操作に応じて、前記実行装置を選択する
請求項１に記載の通信装置。
【請求項４】
前記インタフェースは、HDMI(R)であり、
前記通信装置は、HDMI(R)ソース、HDMI(R)シンク、又はHDMI(R)リピータである
請求項１に記載の通信装置。
【請求項５】
ベースバンドの信号を一方向に送信する信号チャンネルと、制御に利用される双方向の制御チャンネルとを少なくとも有するインタフェースを介して、１以上の装置と接続される通信装置の情報処理方法において、
前記通信装置が、
前記信号のフォーマットを変換する変換処理が可能であるかどうかを表す可否情報を少なくとも含む、前記インタフェースを介して接続された１以上の装置それぞれに関する機器情報を取得し、
前記通信装置、及び、前記変換処理が可能な前記１以上の装置の中から、１つの装置を、前記変換処理を実行すべき実行装置として選択し、
前記実行装置が、前記通信装置である場合、前記変換処理が可能な前記１以上の装置すべてに、前記変換処理の禁止を、前記制御チャンネルを介して指令し、前記実行装置が、前記変換処理が可能な前記１以上の装置のうちの１つである場合、前記変換処理が可能な前記１以上の装置のうちの、前記実行装置に、前記変換処理の実行を、前記制御チャンネルを介して指令するとともに、前記通信装置での前記変換処理を禁止し、他の装置に、前記変換処理の禁止を、前記制御チャンネルを介して指令する
ステップを含む情報処理方法。
【請求項６】
ベースバンドの信号を一方向に送信する信号チャンネルと、制御に利用される双方向の制御チャンネルとを少なくとも有するインタフェースを介して、１以上の装置と接続される通信装置として、コンピュータを機能させるプログラムにおいて、
前記信号のフォーマットを変換する変換処理が可能であるかどうかを表す可否情報を少なくとも含む、前記インタフェースを介して接続された１以上の装置それぞれに関する機器情報を取得する機器情報取得手段と、
前記通信装置、及び、前記変換処理が可能な前記１以上の装置の中から、１つの装置を、前記変換処理を実行すべき実行装置として選択する選択手段と、
前記実行装置が、前記通信装置である場合、前記変換処理が可能な前記１以上の装置すべてに、前記変換処理の禁止を、前記制御チャンネルを介して指令し、前記実行装置が、前記変換処理が可能な前記１以上の装置のうちの１つである場合、前記変換処理が可能な前記１以上の装置のうちの、前記実行装置に、前記変換処理の実行を、前記制御チャンネルを介して指令するとともに、前記通信装置での前記変換処理を禁止し、他の装置に、前記変換処理の禁止を、前記制御チャンネルを介して指令する指令手段と
して、コンピュータを機能させるプログラム。
【請求項７】
ベースバンドの信号を一方向に送信する信号チャンネルと、制御に利用される双方向の制御チャンネルとを少なくとも有するインタフェースを介して、１以上の装置と接続される通信装置において、
前記信号のフォーマットを変換する変換処理が可能であるかどうかを表す可否情報を少なくとも含む、前記インタフェースを介して接続された１以上の装置それぞれに関する機器情報を取得する機器情報取得手段と、
前記通信装置、及び、前記変換処理が可能な前記１以上の装置の中で、前記通信装置が、前記変換処理を実行すべき実行装置であるか否かを判定し、その判定結果に基づいて、前記変換処理の実行を制御する実行制御手段と
を備える通信装置。
【請求項８】
前記インタフェースは、HDMI(R)であり、
前記通信装置は、HDMI(R)ソース、HDMI(R)シンク、又はHDMI(R)リピータである
請求項７に記載の通信装置。
【請求項９】
前記通信装置、及び、前記変換処理が可能な前記１以上の装置それぞれが行う前記変換処理の優劣を表すレベル情報を取得するレベル情報取得手段をさらに備え、
前記実行装置は、前記レベル情報に基づいて選択される
請求項７に記載の通信装置。
【請求項１０】
ベースバンドの信号を一方向に送信する信号チャンネルと、制御に利用される双方向の制御チャンネルとを少なくとも有するインタフェースを介して、１以上の装置と接続される通信装置の情報処理方法において、
前記通信装置が、
前記信号のフォーマットを変換する変換処理が可能であるかどうかを表す可否情報を少なくとも含む、前記インタフェースを介して接続された１以上の装置それぞれに関する機器情報を取得し、
前記通信装置、及び、前記変換処理が可能な前記１以上の装置の中で、前記通信装置が、前記変換処理を実行すべき実行装置であるか否かを判定し、その判定結果に基づいて、前記変換処理の実行を制御する
ステップを含む情報処理方法。
【請求項１１】
ベースバンドの信号を一方向に送信する信号チャンネルと、制御に利用される双方向の制御チャンネルとを少なくとも有するインタフェースを介して、１以上の装置と接続される通信装置として、コンピュータを機能させるプログラムにおいて、
前記信号のフォーマットを変換する変換処理が可能であるかどうかを表す可否情報を少なくとも含む、前記インタフェースを介して接続された１以上の装置それぞれに関する機器情報を取得する機器情報取得手段と、
前記通信装置、及び、前記変換処理が可能な前記１以上の装置の中で、前記通信装置が、前記変換処理を実行すべき実行装置であるか否かを判定し、その判定結果に基づいて、前記変換処理の実行を制御する実行制御手段と
して、コンピュータを機能させるプログラム。
【発明の詳細な説明】
【技術分野】
【０００１】
本発明は、通信装置、情報処理方法、及びプログラムに関し、特に、ベースバンドの信号を一方向に送信する信号チャンネルと、制御に利用される双方向の制御チャンネルとを少なくとも有する、例えば、HDMI(High Definition Multimedia Interface)(R)等のインタフェースを介して接続される装置において、信号のフォーマットを変換する変換処理を適切に行うことができるようにする通信装置、情報処理方法、及びプログラムに関する。
【背景技術】
【０００２】
近年、例えば、DVD(Digital Versatile Disc)プレーヤや、セットトップボックス、その他のAVソース(source)から、TV（テレビジョン受像機）、プロジェクタ、その他の表示装置に対して、ディジタルテレビジョン信号、すなわち、ベースバンド（非圧縮）の画像（動画）の信号と、その画像に付随する音声の信号とを、高速に伝送する通信インタフェースとして、HDMI(R)が普及している。
【０００３】
HDMI(R)の規格は、ディジタル家電（家庭用電化製品）向けのインタフェースの規格であり、PC(Personal Computer)と表示装置とを接続する接続標準規格であるDVI(Digital Visual Interface)に、音声を送信する音声伝送機能や、ディジタルコンテンツ等の不正コピーの防止等のためのる著作権保護機能、色差信号を送信する色差伝送機能を加える等して、DVIをAV(Audio Visual)家電向けにアレンジした規格である（例えば、非特許文献１を参照）。
【０００４】
ここで、HDMI(R)を介して接続される装置（以下、HDMI(R)装置という）には、HDMI(R)ソース(HDMI(R) Source)、HDMI(R)シンク(HDMI(R) Sink)、及びHDMI(R)リピータ(HDMI(R) Repeater)の３種類がある。
【０００５】
HDMI(R)ソースは、HDMI(R)を介して、画像や音声の信号を出力する出力端子を有し、HDMI(R)シンクは、HDMI(R)を介して、画像や音声の信号が入力される入力端子を有する。HDMI(R)リピータは、１以上の入力端子と、１以上の出力端子を有し、HDMI(R)ソース、及びHDMI(R)リンクの両方であるかのように振る舞う。
【０００６】
HDMI(R)は、HDMI(R)ソースから、必要なHDMI(R)リピータを介して、HDMI(R)シンクに、ベースバンドの画像や音声の信号を一方向に送信する信号チャンネルとしてのTMDS(Transition Minimized Differential Signaling)チャンネルや、HDMI(R)ソース、必要なHDMI(R)リピータ、及びHDMI(R)シンクの制御に利用される双方向の制御チャンネルとしての、CECライン(Consumer Electronics Control Line)、その他のチャンネルを有する。
【０００７】
すなわち、HDMI(R)では、物理層には、TMDSチャンネルが採用され、HDMI(R)で接続された装置全体の制御系の接続には、CECラインが採用されている。
【０００８】
また、HDMI(R)では、著作権保護機能を実現するための信号の暗号化に、HDCP（High-bandwidth Digital Content Protection）が採用されている。
【０００９】
さらに、HDMI(R)では、機器間の認証に、EDID(Extended display identification data) が採用されている。
【００１０】
すなわち、HDMI(R)の機器間の認証には、VESA (Video Electronics Standard Association)団体のDDC/EDID方式が採用されている。
【００１１】
DDC(Display Data Channel)は、HDMI(R)ソースが、HDMI(R)シンク、さらには、HDMI(R)リピータから、EDID(E-EDID(Enhanced Extended Display Identification Data))を読み出すのに使用される。
【００１２】
すなわち、HDMI(R)シンク、及びHDMI(R)リピータは、自身の設定(configuration)や性能(capability)に関する情報であるEDIDを記憶しているEDIDROM(EDID ROM(Read Only Memory))を有している。HDMI(R)ソースは、HDMI(R)シンク及びHDMI(R)リピータそれぞれのEDIDROMが記憶しているEDIDを、DDCを介して読み出し、そのEDIDに基づき、HDMI(R)シンク及びHDMI(R)リピータの設定や性能を認識する。
【００１３】
ここで、EDIDには、例えば、HDMI(R)シンクのブランド（製造メーカ）、モデル番号、HDMI(R)シンクがサポートしている信号のフォーマット（例えば、画像の解像度等）の情報が含まれる。
【００１４】
図１は、HDMI(R)で接続された複数の装置からなるAVシステム（システムとは、複数の装置が論理的に集合した物をいい、各構成の装置が同一筐体中にあるか否かは、問わない）の一例の構成を示している。
【００１５】
図１において、AVシステムは、HDMI(R)ソースとしてのDVDプレーヤ１１と、HDMI(R)リピータとしてのAVアンプ１２とが、HDMI(R)用のケーブル１で接続されるとともに、HDMI(R)リピータとしてのAVアンプ１２と、HDMI(R)シンクとしてのTV１３とが、HDMI(R)用のケーブル２で接続されて構成されている。
【００１６】
HDMI(R)ソースとしてのDVDプレーヤ１１は、ケーブル１を介して、HDMI(R)リピータとしてのAVアンプ１２のEDIDを読み出し、そのEDIDに基づき、AVアンプ１２がサポートしている画像の解像度を認識する。
【００１７】
さらに、HDMI(R)ソースとしてのDVDプレーヤ１１は、ケーブル１、AVアンプ１２、及びケーブル２を介して、HDMI(R)シンクとしてのTV１３のEDIDを読み出し、そのEDIDに基づき、TV１３がサポートしている画像の解像度を認識する。
【００１８】
ここで、HDMI(R)ソースが認識した、HDMI(R)シンク、さらには、HDMI(R)リピータがサポートしている解像度を利用する利用方法については、特に、HDMI(R)の規格で規定されておらず、そのため、HDMI(R)の仕様書（非特許文献１）のAppendix F(Page152)に記載されている事項の推奨が提案されている。
【００１９】
したがって、HDMI(R)ソース、HDMI(R)リピータ、及びHDMI(R)シンクのそれぞれにおいて、画像の解像度等の信号のフォーマットを変換する変換処理（スケーリング、アップサンプリング、解像度変換）として、どのような処理を行うかは、製造メーカが任意に決めることができる。
【００２０】
但し、一般には、変換処理の処理モードとして、オートモードとマニュアルモードとが設けられることが多い。
【００２１】
オートモードでは、HDMI(R)ソースは、HDMI(R)シンクがサポートする最大の解像度に、画像の信号（画像信号）を変換して出力する。
【００２２】
マニュアルモードでは、HDMI(R)ソースは、HDMI(R)シンクがサポートしている最大の解像度以下の解像度を、HDMI(R)シンクにメニューで表示させる。さらに、HDMI(R)ソースは、ユーザの操作に応じて、メニューに表示された解像度の１つを選択し、その解像度に、画像信号を変換して出力する。
【００２３】
ここで、マニュアルモードにおいて、ユーザが選択した解像度を、以下、適宜、指定解像度という。
【００２４】
【非特許文献１】"High-Definition Multimedia Interface Specification Version 1.3a", November 10, 2006）
【発明の開示】
【発明が解決しようとする課題】
【００２５】
以上のように、マニュアルモードでは、信号が、ユーザの操作に応じた指定解像度に変換されるため、適切な変換処理が行われないことがある。
【００２６】
すなわち、図１のAVシステムにおいて、DVDプレーヤ１１がDVDから再生する画像信号のフォーマットが、例えば、480i（水平走査線が480ラインのインタレース方式）であるとともに、TV１３がサポートしているフォーマットの（最大の）解像度（以下、適宜、サポート解像度ともいう）が、例えば、1080i（水平走査線が1080ラインのインタレース方式）であるとする。
【００２７】
また、ユーザが、DVDプレーヤ１１、AVアンプ１２、及びTV１３の処理モードをマニュアルモードに設定し、さらに、DVDプレーヤ１１、及びAVアンプ１２について、ユーザが、例えば、720p（水平走査線が720ラインのプログレッシブ（ノンインタレース）方式）を、指定解像度として選択したとする。
【００２８】
この場合、DVDプレーヤ１１は、DVDから再生した480iの画像信号を、指定解像度である720pの画像信号に変換する変換処理を行い、その720pの画像信号を、ケーブル１を介して、AVアンプ１２に供給する。
【００２９】
DVDプレーヤ１１からAVアンプ１２に供給された画像信号は、既に、指定解像度の画像信号になっているので、AVアンプ１２は、解像度に関しては、DVDプレーヤ１１からの720pの画像信号に特に変換処理を施さずに、そのままスルーして、ケーブル２を介して、TV１３に供給する。
【００３０】
TV１３では、AVアンプ１２からの720pの画像信号を、サポート解像度である1080iの画像信号に変換する変換処理が行われ、その結果得られる1080iの画像信号（に対応する画像）が表示される。
【００３１】
したがって、図１のAVシステムにおいて、DVDから再生された480iの画像信号は、HDMI(R)ソースであるDVDプレーヤ１１と、HDMI(R)シンクであるTV１３とのそれぞれで変換処理が施され、TV１３において表示される。
【００３２】
しかしながら、DVDプレーヤ１１、及びTV１３それぞれで行われる変換処理は、いずれも、他のHDMI(R)装置で行われる変換処理を考慮して行われる処理ではないため、DVDプレーヤ１１、及びTV１３の両方で変換処理が行われる場合には、DVDプレーヤ１１、及びTV１３のうちの一方で行われる変換処理が、他方で行われる変換処理に、悪影響を及ぼし、その結果、最終的に、TV１３で表示される画像の画質が劣化することがあり得る。
【００３３】
したがって、複数のHDMI(R)装置で変換処理が行われることは、適切でないことがあり、さらに、変換処理（のアルゴリズム）の一貫性の観点から、変換処理は、なるべく、１つのHDMI(R)装置で行うことが望ましい。
【００３４】
なお、AVシステムを構成する複数のHDMI(R)装置が変換処理を行うことが可能である場合において、その複数のHDMI(R)装置それぞれが行う変換処理（の結果得られる画像の画質）に優劣があることがある。
【００３５】
また、AVシステムを構成する複数のHDMI(R)装置の一部が交換され、その交換によって、複数のHDMI(R)装置それぞれが行う変換処理の優劣に変化が生じることがある。
【００３６】
上述したように、変換処理を、AVシステムを構成する複数のHDMI(R)装置のうちの、１つのHDMI(R)装置で行う場合、ユーザが良い（優秀）であると感じる変換処理を行うことが望ましい。
【００３７】
本発明は、このような状況に鑑みてなされたものであり、信号のフォーマットを変換する変換処理を、簡単な操作で、適切に行うことができるようにするものである。
【課題を解決するための手段】
【００３８】
本発明の第１の側面の通信装置、又は、プログラムは、ベースバンドの信号を一方向に送信する信号チャンネルと、制御に利用される双方向の制御チャンネルとを少なくとも有するインタフェースを介して、１以上の装置と接続される通信装置であり、前記信号のフォーマットを変換する変換処理が可能であるかどうかを表す可否情報を少なくとも含む、前記インタフェースを介して接続された１以上の装置それぞれに関する機器情報を取得する機器情報取得手段と、前記通信装置、及び、前記変換処理が可能な前記１以上の装置の中から、１つの装置を、前記変換処理を実行すべき実行装置として選択する選択手段と、前記実行装置が、前記通信装置である場合、前記変換処理が可能な前記１以上の装置すべてに、前記変換処理の禁止を、前記制御チャンネルを介して指令し、前記実行装置が、前記変換処理が可能な前記１以上の装置のうちの１つである場合、前記変換処理が可能な前記１以上の装置のうちの、前記実行装置に、前記変換処理の実行を、前記制御チャンネルを介して指令するとともに、前記通信装置での前記変換処理を禁止し、他の装置に、前記変換処理の禁止を、前記制御チャンネルを介して指令する指令手段とを備える通信装置、又は、通信装置として、コンピュータを機能させるプログラムである。
【００３９】
本発明の第１の側面の情報処理方法は、ベースバンドの信号を一方向に送信する信号チャンネルと、制御に利用される双方向の制御チャンネルとを少なくとも有するインタフェースを介して、１以上の装置と接続される通信装置の情報処理方法であり、前記通信装置が、前記信号のフォーマットを変換する変換処理が可能であるかどうかを表す可否情報を少なくとも含む、前記インタフェースを介して接続された１以上の装置それぞれに関する機器情報を取得し、前記通信装置、及び、前記変換処理が可能な前記１以上の装置の中から、１つの装置を、前記変換処理を実行すべき実行装置として選択し、前記実行装置が、前記通信装置である場合、前記変換処理が可能な前記１以上の装置すべてに、前記変換処理の禁止を、前記制御チャンネルを介して指令し、前記実行装置が、前記変換処理が可能な前記１以上の装置のうちの１つである場合、前記変換処理が可能な前記１以上の装置のうちの、前記実行装置に、前記変換処理の実行を、前記制御チャンネルを介して指令するとともに、前記通信装置での前記変換処理を禁止し、他の装置に、前記変換処理の禁止を、前記制御チャンネルを介して指令するステップを含む情報処理方法である。
【００４０】
以上のような第１の側面においては、前記信号のフォーマットを変換する変換処理が可能であるかどうかを表す可否情報を少なくとも含む、前記インタフェースを介して接続された１以上の装置それぞれに関する機器情報が取得され、前記通信装置、及び、前記変換処理が可能な前記１以上の装置の中から、１つの装置が、前記変換処理を実行すべき実行装置として選択される。そして、前記実行装置が、前記通信装置である場合、前記変換処理が可能な前記１以上の装置すべてに、前記変換処理の禁止が、前記制御チャンネルを介して指令され、前記実行装置が、前記変換処理が可能な前記１以上の装置のうちの１つである場合、前記変換処理が可能な前記１以上の装置のうちの、前記実行装置に、前記変換処理の実行が、前記制御チャンネルを介して指令されるとともに、前記通信装置での前記変換処理を禁止し、他の装置に、前記変換処理の禁止が、前記制御チャンネルを介して指令される。
【００４１】
本発明の第２の側面の通信装置、又は、プログラムは、ベースバンドの信号を一方向に送信する信号チャンネルと、制御に利用される双方向の制御チャンネルとを少なくとも有するインタフェースを介して、１以上の装置と接続される通信装置であり、前記信号のフォーマットを変換する変換処理が可能であるかどうかを表す可否情報を少なくとも含む、前記インタフェースを介して接続された１以上の装置それぞれに関する機器情報を取得する機器情報取得手段と、前記通信装置、及び、前記変換処理が可能な前記１以上の装置の中で、前記通信装置が、前記変換処理を実行すべき実行装置であるか否かを判定し、その判定結果に基づいて、前記変換処理の実行を制御する実行制御手段とを備える通信装置、又は、通信装置として、コンピュータを機能させるプログラムである。
【００４２】
本発明の第２の側面の情報処理方法は、ベースバンドの信号を一方向に送信する信号チャンネルと、制御に利用される双方向の制御チャンネルとを少なくとも有するインタフェースを介して、１以上の装置と接続される通信装置の情報処理方法であり、前記通信装置が、前記信号のフォーマットを変換する変換処理が可能であるかどうかを表す可否情報を少なくとも含む、前記インタフェースを介して接続された１以上の装置それぞれに関する機器情報を取得し、前記通信装置、及び、前記変換処理が可能な前記１以上の装置の中で、前記通信装置が、前記変換処理を実行すべき実行装置であるか否かを判定し、その判定結果に基づいて、前記変換処理の実行を制御するステップを含む情報処理方法である。
【００４３】
以上のような第２の側面においては、前記信号のフォーマットを変換する変換処理が可能であるかどうかを表す可否情報を少なくとも含む、前記インタフェースを介して接続された１以上の装置それぞれに関する機器情報が取得され、前記通信装置、及び、前記変換処理が可能な前記１以上の装置の中で、前記通信装置が、前記変換処理を実行すべき実行装置であるか否かが判定される。そして、その判定結果に基づいて、前記変換処理の実行が制御される。
【００４４】
なお、通信装置は、独立した装置であっても良いし、１つの装置を構成している内部ブロックであっても良い。
【００４５】
また、プログラムは、伝送媒体を介して伝送することにより、又は、記録媒体に記録して、提供することができる。
【発明の効果】
【００４６】
本発明の第１及び第２の側面によれば、信号のフォーマットを変換する変換処理を適切に行うことができる。
【発明を実施するための最良の形態】
【００４７】
図２は、本発明を適用したAVシステムの一実施の形態の構成例を示すブロック図である。
【００４８】
図２において、AVシステムは、HDMI(R)装置であるDVDプレーヤ２１、AVアンプ２２、及びTV２３から構成されている。
【００４９】
DVDプレーヤ２１は、HDMI(R)ソースとして機能する通信装置であり、HDMI(R)用のケーブル１を介して、AVアンプ２２と接続されている。
【００５０】
DVDプレーヤ２１は、DVDを再生し、その結果得られる画像や音声の信号を、ケーブル１を介して、AVアンプ２２に送信（供給）する。
【００５１】
また、DVDプレーヤ２１は、信号のフォーマットを変換する変換処理が可能であるかどうかを表す可否情報を少なくとも含む、HDMI(R)を介して接続された１以上のHDMI(R)装置それぞれに関する機器情報を取得し、その機器情報に含まれる可否情報から、変換処理が可能なHDMI(R)装置を認識する。
【００５２】
なお、ここでは、DVDプレーヤ２１、AVアンプ２２、及びTV２３のすべてが、変換処理を行うことが可能なHDMI(R)装置であることとする。
【００５３】
ここで、変換処理を行うことが可能なHDMI(R)装置を、以下、適宜、変換可能装置ともいう。本実施の形態では、DVDプレーヤ２１、AVアンプ２２、及びTV２３のすべてが、変換可能装置である。
【００５４】
また、変換可能装置のうちの、HDMI(R)ソース以外を、以下、適宜、被制御変換可能装置という。本実施の形態では、AVアンプ２２、及びTV２３が、被制御変換可能装置である。
【００５５】
DVDプレーヤ２１は、DVDプレーヤ２１自身を含む複数の変換可能装置、すなわち、DVDプレーヤ２１、AVアンプ２２、及びTV２３の中から、１つの変換可能装置を、変換処理を実行すべき実行装置として選択する。
【００５６】
なお、AVシステムを構成するHDMI(R)装置の中に、１つの変換可能装置しか存在しない場合には、その変換可能装置が、実行装置として選択される。
【００５７】
DVDプレーヤ２１は、実行装置が、DVDプレーヤ２１自身である場合、他の変換可能装置すべて、すなわち、被制御変換可能装置、つまり、図２では、AVアンプ２２及びTV２３に、変換処理の禁止を、HDMI(R)の制御チャンネルとしてのCECラインを介して指令する。
【００５８】
また、DVDプレーヤ２１は、実行装置が、被制御変換可能装置のうちの１つである場合、被制御変換可能装置のうちの、実行装置に、変換処理の実行を、HDMI(R)のCECラインを介して指令するとともに、他の被制御変換可能装置に、変換処理の禁止を、HDMI(R)のCECラインを介して指令する。
【００５９】
すなわち、例えば、実行装置が、被制御変換可能装置であるAVアンプ２２、及びTV２３のうちの一方である場合には、その一方に対して、変換処理の実行が指令されるとともに、他方に対して、変換処理の禁止が指令される。
【００６０】
AVアンプ２２は、HDMI(R)リピータとして機能する通信装置であり、HDMI(R)用のケーブル１を介して、DVDプレーヤ２１と接続されているとともに、HDMI(R)用のケーブル２を介して、TV２３と接続されている。
【００６１】
AVアンプ２２は、DVDプレーヤ２１からケーブル１を介して供給される画像や音声の信号を、必要に応じて増幅し、ケーブル２を介して、TV２３に送信（供給）する。
【００６２】
また、AVアンプ２２は、信号のフォーマットを変換する変換処理が可能であるかどうかを表す可否情報を少なくとも含む、AVアンプ２２自身に関する機器情報を、他のHDMI(R)装置であるHDMI(R)ソースとしてのDVDプレーヤ２１に提供する。
【００６３】
そして、AVアンプ２２は、変換処理が可能である場合、HDMI(R)のCECラインを介しての、HDMI(R)ソースとしてのDVDプレーヤ２１からの指令に従い、変換処理の実行を制御する。
【００６４】
TV２３は、HDMI(R)シンクとして機能する通信装置であり、HDMI(R)用のケーブル２を介して、AVアンプ２２と接続されている。
【００６５】
TV２３は、AVアンプ２２からケーブル２を介して供給される信号に応じて、画像を表示し、音声を出力する。
【００６６】
また、TV２３は、信号のフォーマットを変換する変換処理が可能であるかどうかを表す可否情報を少なくとも含む、TV２３自身に関する機器情報を、他のHDMI(R)装置であるHDMI(R)ソースとしてのDVDプレーヤ２１に提供する。
【００６７】
そして、TV２３は、変換処理が可能である場合、HDMI(R)のCECラインを介しての、HDMI(R)ソースとしてのDVDプレーヤ２１からの指令に従い、変換処理の実行を制御する。
【００６８】
なお、TV２３は、AVアンプ２２からの画像信号のフォーマットが、TV２３のサポート解像度になっていない場合には、例えば、DVDプレーヤ２１からの指令に関わらず、AVアンプ２２からの画像信号を、TV２３のサポート解像度の画像信号に変換して表示する。
【００６９】
図３は、図２のDVDプレーヤ２１の構成例を示すブロック図である。
【００７０】
DVDプレーヤ２１は、CPU(Central Processing Unit)１０１、RAM(Random Access Memory)１０２、ROM(Read Only Memory)１０３、U/I(User Interface)制御部１０４、HDMI(R)制御部１０５、HDMI(R)送信部１０６、DVD再生部１０７、画像処理部１０８、及び音声処理部１０９を有し、CPU１０１ないしHDMI(R)制御部１０５、及びDVD再生部１０７ないし音声処理部１０９は、バスを介して相互に接続されている。
【００７１】
CPU１０１は、ROM１０３に記憶されたプログラムを実行することで、DVDプレーヤ２１全体を統括的に制御する。
【００７２】
RAM１０２には、CPU１０１が実行するプログラムが展開される。また、RAM１０２は、CPU１０１のワークエリアとして機能する。すなわち、RAM１０２は、CPU１０１の動作上必要なデータを記憶する。
【００７３】
ROM１０３は、CPU１０１が後述する処理（制御）を行うのに実行するプログラムを記憶している。
【００７４】
U/I制御部１０４は、DVDプレーヤ２１を遠隔制御するリモートコントローラ（図示せず）からのユーザの操作に対応する操作信号や、DVDプレーヤ２１の操作パネル（図示せず）に設けられた操作ボタン等をユーザが操作することにより入力される操作信号を受信し、その操作信号を、CPU１０１に供給する。
【００７５】
HDMI(R)制御部１０５は、CPU１０１の制御に従い、HDMI(R)送信部１０６でのAV信号（画像信号及び音声信号のうちの、一方、又は両方）の送信、及び、制御信号の送受信等を制御する。
【００７６】
HDMI(R)送信部１０６は、HDMI(R)制御部１０５の制御に従い、ベースバンドのAV信号を、ケーブル１を介して、AVアンプ２２に送信し、また、ケーブル１を介して、AVアンプ２２との間で、制御信号を送受信する。
【００７７】
DVD再生部１０７は、CPU１０１の制御に従い、図示せぬDVDからAV信号等を再生し、バス上に出力する。
【００７８】
画像処理部１０８は、DVD再生部１０７からバスを介して供給されるAV信号のうちの画像信号を対象として、変換処理（解像度変換、アップサンプリング、スケーリング処理等）その他の画像処理を行う。
【００７９】
音声処理部１０９は、DVD再生部１０７からバスを介して供給されるAV信号のうちの音声信号を対象として、エンコード、デコード、サンプリング処理、その他の音声処理を行う。
【００８０】
以上のように構成されるDVDプレーヤ２１では、ユーザの操作に応じて、DVD再生部１０７が、DVDからAV信号等を再生し、バス上を介して、画像処理部１０８、及び音声処理部１０９に供給する。
【００８１】
画像処理部１０８は、DVD再生部１０７からのAV信号のうちの画像信号に、必要な画像処理を施し、バスを介して、HDMI(R)制御部１０５に供給する。
【００８２】
音声処理部１０９は、DVD再生部１０７からのAV信号のうちの音声信号に、必要な音声処理を施し、バスを介して、HDMI(R)制御部１０５に供給する。
【００８３】
HDMI(R)制御部１０５は、バスを介して供給されるAV信号、すなわち、画像処理部１０８からの画像信号、及び音声処理部１０９からの音声信号を、HDMI(R)送信部１０６に供給し、そのAV信号を送信するように、HDMI(R)送信部１０６を制御する。
【００８４】
HDMI(R)送信部１０６は、HDMI(R)制御部１０５の制御に従い、HDMI(R)制御部１０５からのAV信号を、ケーブル１を介して、AVアンプ２２（図２）に送信する。
【００８５】
また、HDMI(R)送信部１０６は、HDMI(R)制御部１０５の制御に従い、変換処理の禁止や実行を指令する制御信号を、ケーブル１を介して送信する。さらに、HDMI(R)送信部１０６は、ケーブル１を介して、AVアンプ２２やTV２３から送信されてくるEDIDを受信し、HDMI(R)制御部１０５、及びバスを介して、CPU１０１に供給する。
【００８６】
次に、図４は、図２のAVアンプ２２の構成例を示すブロック図である。
【００８７】
AVアンプ２２は、CPU２０１、RAM２０２、ROM２０３、HDMI(R)送信部２０４、HDMI(R)制御部２０５、U/I制御部２０６、音声入力部２０７、画像入力部２０８、画像処理部２０９、音声処理部２１０、音声駆動部２１１、HDMI(R)制御部２１２、及びHDMI(R)受信部２１４を有し、CPU２０１ないしROM２０３、及びHDMI(R)制御部２０５ないし２１２は、バスを介して、相互に接続されている。
【００８８】
なお、図４では、AVアンプ２２には、図２には図示していない外部のスピーカ２１３が接続されている。
【００８９】
CPU２０１は、ROM２０３に記憶されたプログラムを実行することで、AVアンプ２２全体を統括的に制御する。
【００９０】
RAM２０２には、CPU２０１が実行するプログラムが展開される。また、RAM２０２は、CPU２０１のワークエリアとして機能する。すなわち、RAM２０２は、CPU２０１の動作上必要なデータを記憶する。
【００９１】
ROM２０３は、CPU２０１が後述する処理（制御）を行うのに実行するプログラムを記憶している。
【００９２】
HDMI(R)送信部２０４は、HDMI(R)制御部２０５の制御に従い、AV信号を、ケーブル２を介して、TV２３（図２）に送信し、また、ケーブル２を介して、TV２３との間で、制御信号を送受信（中継）する。
【００９３】
HDMI(R)制御部２０５は、CPU２０１の制御に従い、HDMI(R)送信部２０４でのAV信号の送信、及び、制御信号の送受信等を制御する。
【００９４】
U/I制御部２０６は、AVアンプ２２を遠隔制御するリモートコントローラ（図示せず）からのユーザの操作に対応する操作信号や、AVアンプ２２の操作パネル（図示せず）に設けられた操作ボタン等をユーザが操作することにより入力される操作信号を受信し、その操作信号を、CPU２０１に供給する。
【００９５】
音声入力部２０７は、HDMI(R)の形式とは異なる形式の音声信号を入力するためのインタフェース（例えば、RCAや光ディジタル等のインタフェース）を有し、そこに入力された音声信号を、バス上に出力する。
【００９６】
画像入力部２０８は、HDMI(R)の形式とは異なる形式の画像信号を入力するためのインタフェース（例えば、RCAやアナログコンポーネント等のインタフェース）を有し、そこに入力された画像信号を、バス上に出力する。
【００９７】
画像処理部２０９は、画像入力部２０８からバス上に出力された画像信号や、HDMI(R)制御部２１２がバス上に出力するAV信号のうちの画像信号を対象として、変換処理その他の画像処理を行い、バス上に出力する。
【００９８】
音声処理部２１０は、音声入力部２０７からバス上に出力された音声信号や、HDMI(R)制御部２１２がバス上に出力するAV信号のうちの音声信号を対象として、エンコード、デコード、サンプリング処理、その他の音声処理を行い、バス上に出力する。
【００９９】
音声駆動部２１１は、バス上の音声信号に応じてスピーカ２１３を駆動する。
【０１００】
HDMI(R)制御部２１２は、CPU２０１の制御に従い、HDMI(R)受信部２１４でのAV信号の受信、及び、制御信号の送受信等を制御する。
【０１０１】
スピーカ２１３は、音声駆動部２１１によって駆動され、音声を出力する。なお、図４では、スピーカ２１３は、AVアンプ２２の外部に設けられているが、スピーカ２１３は、AVアンプ２２に内蔵させることができる。
【０１０２】
HDMI(R)受信部２１４は、HDMI(R)制御部２１２の制御に従い、ケーブル１を介して、DVDプレーヤ２１（図２）から送信されてくるAV信号を受信し、また、ケーブル１を介して、DVDプレーヤ２１との間で、制御信号を送受信（中継）する。
【０１０３】
以上のように構成されるAVアンプ２２では、例えば、HDMI(R)受信部２１４が、図３で説明したようにして、DVDプレーヤ２１から、ケーブル１を介して送信されてくるAV信号を受信し、HDMI(R)制御部２１２、及びバスを介して、画像処理部２０９、及び音声処理部２１０に供給する。
【０１０４】
画像処理部２０９は、DVDプレーヤ２１からのAV信号のうちの画像信号に、必要な画像処理を施し、バスを介して、HDMI(R)制御部２０５に供給する。
【０１０５】
音声処理部２１０は、DVDプレーヤ２１からのAV信号のうちの音声信号に、必要な音声処理を施し、バスを介して、HDMI(R)制御部２０５に供給する。
【０１０６】
HDMI(R)制御部２０５は、バスを介して供給されるAV信号、すなわち、画像処理部２０９からの画像信号、及び音声処理部２１０からの音声信号を、HDMI(R)送信部２０４に供給し、そのAV信号を送信するように、HDMI(R)送信部２０４を制御する。
【０１０７】
HDMI(R)送信部２０４は、HDMI(R)制御部２０５の制御に従い、HDMI(R)制御部２０５からのAV信号を、ケーブル２を介して、TV２３（図２）に送信する。
【０１０８】
また、HDMI(R)受信部２１４は、図３で説明したようにして、DVDプレーヤ２１から、ケーブル１を介して送信されてくる制御信号を受信し、HDMI(R)制御部２１２、及びバスを介して、CPU２０１や、HDMI(R)制御部２０５に供給する。
【０１０９】
ここで、CPU２０１は、DVDプレーヤ２１からの制御信号に従い、画像処理部２０９による変換処理の実行を制御する。
【０１１０】
さらに、HDMI(R)受信部２１４は、HDMI(R)送信部２０４で受信され、HDMI(R)制御部２０５、バス、及び、HDMI(R)制御部２１２から供給されるTV２３のEDIDや、HDMI(R)受信部２１４が記憶しているAVアンプ２２のEDIDを、ケーブル１を介して、DVDプレーヤ２１（のHDMI(R)送信部１０６（図３））に送信する。
【０１１１】
一方、HDMI(R)制御部２０５は、DVDプレーヤ２１からの制御信号を、HDMI(R)送信部２０４に供給し、及びケーブル２を介して、TV２３に送信させる。
【０１１２】
次に、図５は、図２のTV２３の構成例を示すブロック図である。
【０１１３】
TV２３は、CPU３０１、RAM３０２、ROM３０３、画像処理部３０４、画像駆動部３０５、ディスプレイ３０６、音声処理部３０７、音声駆動部３０８、スピーカ３０９、U/I制御部３１０、チューナ３１１、復調部３１２、分離部３１３、HDMI(R)制御部３１５、及び、HDMI(R)受信部３１６を有し、CPU３０１ないし画像処理部３０４、音声処理部３０７、U/I制御部３１０ないし分離部３１３、及びHDMI(R)制御部３１５は、バスを介して相互に接続されている。
【０１１４】
CPU３０１は、ROM３０３に記憶されたプログラムを実行することで、TV２３全体を統括的に制御する。
【０１１５】
RAM３０２には、CPU３０１が実行するプログラムが展開される。また、RAM３０２は、CPU３０１のワークエリアとして機能する。すなわち、RAM３０２は、CPU３０１の動作上必要なデータを記憶する。
【０１１６】
ROM３０３は、CPU３０１が後述する処理（制御）を行うのに実行するプログラムを記憶している。
【０１１７】
画像処理部３０４は、分離部３１３から供給される画像信号や、HDMI(R)制御部３１５がバス上に出力するAV信号のうちの画像信号を対象として、変換処理その他の画像処理を行い、画像駆動部３０５に供給する。
【０１１８】
なお、画像処理部３０４は、分離部３１３から供給される画像信号が、MPEG（Moving Picture Experts Group）その他の方式でエンコード（圧縮）されている場合、そのデコードも行う。
【０１１９】
画像駆動部３０５は、画像処理部３０４から供給される画像信号を対象に、D/A(Digital/Analog)変換等を行い、その結果得られる画像信号に応じて、ディスプレイ３０６を駆動する。
【０１２０】
ディスプレイ３０６は、例えば、液晶パネルや、有機EL(Electro-Luminescence)等で構成され、画像駆動部３０５の駆動に従って画像を表示する。
【０１２１】
音声処理部３０７は、分離部３１３から供給される音声信号や、HDMI(R)制御部３１５がバス上に出力するAV信号のうちの音声信号を対象として、エンコード、デコード、サンプリング処理、その他の音声処理を行い、音声駆動部３０８に供給する。
【０１２２】
なお、音声処理部３０７は、分離部３１３から供給される音声信号が、MPEGその他の方式でエンコードされている場合には、そのデコードも行う。
【０１２３】
音声駆動部３０８は、音声処理部３０７からの音声信号を対象に、D/A変換等を行い、その結果得られる音声信号に応じて、スピーカ３０９を駆動する。
【０１２４】
スピーカ３０９は、音声駆動部３０８によって駆動され、音声を出力する。
【０１２５】
U/I制御部３１０は、TV２３を遠隔制御するリモートコントローラ（図示せず）からのユーザの操作に対応する操作信号や、TV２３の操作パネル（図示せず）に設けられた操作ボタン等をユーザが操作することにより入力される操作信号を受信し、その操作信号を、バスを介して、CPU３０１に供給する。この操作信号としては、例えば、TV２３の電源の投入及び切断、チューナ３１１による選局、画像に関する処理、及び、音声に関する処理その他の各種の処理を指令する信号がある。
【０１２６】
チューナ３１１は、例えば、ディジタル放送用のディジタルチューナ、及びアナログ放送用のアナログチューナを含む。
【０１２７】
ここで、チューナ３１１は２つ以上あってもよい。また、チューナ３１１としては、アナログチューナはなくてもよい。以下では、チューナ３１１がディジタル放送を受信するチューナとして機能することとする。
【０１２８】
チューナ３１１は、ディジタル放送の放送信号を受信（選局）し、その結果得られる、番組としてのAV信号を変調した変調信号を、復調部３１２に供給する。
【０１２９】
復調部３１２は、チューナ３１１から供給された変調信号を復調し、さらに、誤り訂正処理、フレームの再構成等を行い、その結果得られる、AV信号が多重化されたデータストリームを、分離部３１３に供給する。
【０１３０】
分離部３１３は、復調部３１２からのデータストリームを、画像信号（画像データ）と音声信号（音声データ）とに分離し、画像信号を、画像処理部３０４に供給するとともに、音声信号を、音声処理部３０７に供給する。
【０１３１】
HDMI(R)制御部３１５は、CPU３０１の制御に従い、HDMI(R)受信部３１６でのAV信号の受信、及び、制御信号の送受信等を制御する。
【０１３２】
HDMI(R)受信部３１６は、HDMI(R)制御部３１５の制御に従い、ケーブル２を介して、AVアンプ２２（図２）から送信されてくるAV信号を受信し、また、ケーブル２を介して、AVアンプ２２との間で、制御信号を送受信する。
【０１３３】
以上のように構成されるTV２３では、例えば、HDMI(R)受信部３１６が、図３及び図４で説明したようにして、DVDプレーヤ２１から、ケーブル１、AVアンプ２２、及び、ケーブル２を介して送信されてくるAV信号を受信し、HDMI(R)制御部３１５、及びバスを介して、画像処理部３０４及び音声処理部３０７に供給する。
【０１３４】
画像処理部３０４は、DVDプレーヤ２１からのAV信号（DVDプレーヤ２１からAVアンプ２２を介して送信されてくるAV信号）のうちの画像信号に、必要な画像処理を施し、画像駆動部３０５を介して、ディスプレイ３０６に供給し、対応する画像を表示させる。
【０１３５】
音声処理部３０７は、DVDプレーヤ２１からのAV信号のうちの音声信号に、必要な音声処理を施し、音声駆動部３０８を介して、スピーカ３０９に供給し、対応する音声を出力させる。
【０１３６】
また、HDMI(R)受信部３１６は、図３及び図４で説明したようにして、DVDプレーヤ２１から、ケーブル１、AVアンプ２２、及び、ケーブル２を介して送信されてくる制御信号を受信し、HDMI(R)制御部３１５、及びバスを介して、CPU３０１に供給する。
【０１３７】
ここで、CPU３０１は、AVアンプ２２からの制御信号に従い、画像処理部３０４による変換処理の実行を制御する。
【０１３８】
さらに、HDMI(R)受信部３１６は、HDMI(R)受信部３１６が記憶しているTV２３のEDIDを、ケーブル２を介して、AVアンプ２２（のHDMI(R)送信部２０４（図４））に送信する。
【０１３９】
なお、図３のDVDプレーヤ２１において、CPU１０１が実行するプログラムは、ROM１０３にあらかじめインストールしておく他、フレキシブルディスク、CD-ROM(Compact Disc Read Only Memory)，MO(Magneto Optical)ディスク，DVD、磁気ディスク、半導体メモリなどのリムーバブル記録媒体に記録し、そのようなリムーバブル記録媒体から、DVDプレーヤ２１にインストールすることができる。
【０１４０】
また、プログラムは、ダウンロードサイトから、インターネットやLAN等のネットワークを経由してダウンロードして、DVDプレーヤ２１にインストールすることができる。
【０１４１】
図４のAVアンプ２２のCPU２０１が実行するプログラム、及び図５のTV２３のCPU３０１が実行するプログラムについても、同様である。
【０１４２】
次に、図６は、図３のHDMI(R)送信部１０６、及び、図４のHDMI(R)受信部２１４の構成例を示している。
【０１４３】
HDMI(R)送信部１０６は、１の垂直同期信号から次の垂直同期信号までの区間（以下、適宜、ビデオフィールドという）から、水平帰線区間及び垂直帰線区間を除いた区間である有効画像区間（以下、適宜、アクティブビデオ区間ともいう）において、ベースバンドの１画面分の画像信号（画素値）に対応する差動信号を、複数のチャンネルで、HDMI(R)シンクに一方向に送信するとともに、水平帰線区間又は垂直帰線区間において、少なくとも画像に付随する音声を含む信号に対応する差動信号を、複数のチャンネルで、HDMI(R)シンクに一方向に送信する。
【０１４４】
すなわち、HDMI(R)送信部１０６は、トランスミッタ４１１を有する。トランスミッタ４１１は、例えば、ベースバンドの画像信号を、対応する差動信号に変換する。さらに、トランスミッタ４１１は、画像信号に対応する差動信号を、複数のチャンネルである３つのTMDSチャンネル#0,#1,#2で、ケーブル１を介して接続されているHDMI(R)シンクとしてのHDMI(R)受信部２１４に、一方向にシリアル伝送する。
【０１４５】
また、トランスミッタ４１１は、ベースバンドの画像に付随する音声の信号や、補助データ(auxiliary data)等の信号を、対応する差動信号に変換し、その差動信号を、３つのTMDSチャンネル#0,#1,#2で、ケーブル１を介して接続されているHDMI(R)受信部２１４に、一方向にシリアル伝送する。
【０１４６】
さらに、トランスミッタ４１１は、３つのTMDSチャンネル#0,#1,#2で送信する画像信号に同期したピクセルクロックを、TMDSクロックチャンネルで、ケーブル１を介して接続されているHDMI(R)受信部２１４に送信する。
【０１４７】
HDMI(R)受信部２１４は、アクティブビデオ区間において、３つのTMDSチャンネル#0ないし#2で、HDMI(R)ソースであるHDMI(R)送信部１０６から一方向に送信されてくる差動信号を受信するとともに、水平帰線区間又は垂直帰線区間において、３つのTMDSチャンネル#0ないし#2で、HDMI(R)送信部１０６から一方向に送信されてくる差動信号を受信する。
【０１４８】
すなわち、HDMI(R)受信部２１４は、レシーバ４１２を有する。レシーバ４１２は、TMDSチャンネル#0ないし#2で、HDMI(R)送信部１０６から一方向に送信されてくる差動信号を、同じくHDMI(R)送信部１０６からTMDSクロックチャンネルで送信されてくるピクセルクロックに同期して受信する。
【０１４９】
HDMI(R)の伝送チャンネルには、HDMI(R)送信部１０６からHDMI(R)受信部２１４に対して、画像や音声の信号を、ピクセルクロックに同期して、一方向にシリアル伝送するための伝送チャンネルとしての３つのTMDS#0ないし#2と、ピクセルクロックを伝送する伝送チャンネルとしてのTMDSクロックチャンネルとの他に、DDCやCECラインと呼ばれる伝送チャンネルがある。
【０１５０】
DDCは、HDMI(R)送信部１０６が、HDMI(R)受信部２１４から、EDIDを読み出すのに使用される。
【０１５１】
すなわち、HDMI(R)受信部２１４は、レシーバ４１２の他に、AVアンプ２２の設定(configuration)や性能(capability)に関する情報であるEDID(E-EDID)を記憶しているEDIDROM４１３を有している。HDMI(R)送信部１０６は、HDMI(R)受信部２１４から、そのHDMI(R)受信部２１４のEDIDROM４１３が記憶しているAVアンプ２２のEDIDを、DDCを介して読み出し、そのEDIDに基づき、AVアンプ２２の設定や性能、すなわち、例えば、HDMI(R)受信部２１４を有するHDMI(R)装置であるAVアンプ２２が出力可能な（サポートしている）画像の解像度等のフォーマットを認識する。
【０１５２】
CECラインは、HDMI(R)送信部１０６とHDMI(R)受信部２１４との間で、制御信号の双方向通信を行うのに用いられる。
【０１５３】
なお、図６では、HDMI(R)送信部１０６と、HDMI(R)受信部２１４とが、ケーブル１で、すなわち、有線で接続されることとしたが、HDMI(R)送信部１０６と、HDMI(R)受信部２１４とは、無線で接続することもできる。
【０１５４】
また、図４のHDMI(R)送信部２０４、及び、図５のHDMI(R)受信部３１６も、図６に示したHDMI(R)送信部１０６、及び、HDMI(R)受信部２１４と、それぞれ同様に構成される。
【０１５５】
AVアンプ２２（図４）では、HDMI(R)送信部２０４が、DVDプレーヤ２１のHDMI(R)送信部１０６と同様にして、TV２３から、TV２３のEDIDを読み出す。さらに、AVアンプ２２（図４）では、HDMI(R)受信部２１４が、HDMI(R)送信部２０４が読み出したTV２３のEDIDを、DDCを介して、DVDプレーヤ２１に送信し、これにより、DVDプレーヤ２１（のCPU１０１）は、TV２３のディスプレイ３０６（図５）で表示可能な画像の解像度等のフォーマットを認識する。
【０１５６】
ところで、図２のDVDプレーヤ２１、AVアンプ２２、及びTV２３は、上述したように、すべて、変換処理を行うことが可能な変換可能装置であるが、この変換可能装置であるDVDプレーヤ２１、AVアンプ２２、及びTV２３では、変換処理の処理モードとして、オートモード、マニュアルモード、及び、セレクトモードが設けられている。
【０１５７】
ここで、変換可能装置のすべてがオートモードになっている場合、変換可能装置のうちのHDMI(R)ソースが、HDMI(R)シンクがサポートする最大の解像度に、画像信号を変換して出力する。
【０１５８】
また、マニュアルモードになっている変換可能装置では、その変換可能装置がサポートしている複数の解像度の中から、ユーザの操作に応じて、指定解像度が選択され、その指定解像度に、画像信号が変換されて出力される。
【０１５９】
また、変換可能装置のうちの、例えば、HDMI(R)ソースが、セレクトモードになっている場合には、他の変換可能装置の処理モードにかかわらず、変換処理を行う変換可能装置が、１つだけ選択され、その１つの変換可能装置において、変換処理が行われる。
【０１６０】
変換可能装置において、処理モードの切り換えは、例えば、図示せぬリモートコントローラ等の、変換可能装置が出力する画像信号のフォーマットを切り換えるボタン（以下、フォーマットボタンともいう）を操作することで行うことができる。
【０１６１】
図７は、フォーマットボタンが操作されることによる処理モードの遷移を示している。
【０１６２】
上述したように、処理モードには、マニュアルモード、オートモード、及びセレクトモードがある。
【０１６３】
また、図７では、マニュアルモードとしては、変換可能装置が出力する画像信号のフォーマットを、480p（水平走査線が480ラインのプログレッシブ方式）とする480pモード、720pとする720pモード、1080iとする1080iモード、及び、1080p（水平走査線が1080ラインのプログレッシブ方式）とする1080pモードとがある。
【０１６４】
例えば、処理モードが、480pモードである場合において、フォーマットボタンが１回だけ操作されると（例えば、押されると）、処理モードは、720pモードに切り換えられる。以下、フォーマットボタンが操作されるたびに、処理モードは、1080iモード、及び、1080pモードに、順次切り換えられる。
【０１６５】
そして、処理モードが、1080pモードである場合に、フォーマットボタンが操作されると、処理モードは、オートモードに切り換えられ、さらに、フォーマットボタンが操作されると、処理モードは、セレクトモードに切り換えられる。
【０１６６】
処理モードが、セレクトモードである場合に、フォーマットボタンが操作されると、処理モードは、マニュアルモードの480pモードに戻り、以下、同様に、フォーマットボタンが操作されるたびに、処理モードの切り換えが行われる。
【０１６７】
上述したように、セレクトモードでは、実行装置、すなわち、変換処理を行う変換可能装置が、１つだけ選択され、その１つの変換可能装置において、変換処理が行われる。
【０１６８】
図８は、セレクトモードにおいて、実行装置を選択するためのメニューとしての解像度設定メニューを示している。
【０１６９】
例えば、DVDプレーヤ２１（図２）は、処理モードがセレクトモードにされると、AVアンプ２２を介して、TV２３を制御することで、ディスプレイ３０６に、解像度設定メニューを表示させる。
【０１７０】
すなわち、DVDプレーヤ２１（のCPU１０１（図３）は、AVアンプ２２及びTV２３からEDIDを取得し、そのEDIDに基づいて、AVアンプ２２及びTV２３が変換可能装置（被制御変換可能装置）であることを認識する。
【０１７１】
そして、DVDプレーヤ２１は、DVDプレーヤ２１自身を含めた変換可能装置のうちの１つ、又は、後述するおまかせモードを、ユーザが選択するための解像度設定メニューを生成し、TV２３に表示させる。
【０１７２】
いまの場合、変換可能装置は、DVDプレーヤ２１、AVアンプ２２、及びTV２３の３つのHDMI(R)装置であり、したがって、TV２３では、その３つのHDMI(R)装置のうちの１つ、又はおまかせモードを選択するための解像度設定メニューを、TV２３に表示させる。
【０１７３】
図８は、以上のようにして、TV２３に表示される解像度設定メニューを示している。
【０１７４】
図８の解像度設定メニューでは、垂直方向に、４つのラジオボタンB1,B2,B3、及びB4が表示されている。さらに、ラジオボタンB1の右側には、おまかせモードを表す「おまかせモード」の文字が、ラジオボタンB2の右側には、DVDプレーヤ２１を表す「DVDプレーヤ」の文字が、ラジオボタンB3の右側には、AVアンプ２２を表す「AVアンプ」の文字が、ラジオボタンB4の右側には、TV２３を表す「TV」の文字が、それぞれ表示されている。
【０１７５】
ラジオボタンB1が操作（クリック）された場合、おまかせモードの実行装置の選択が行われる。おまかせモードの実行装置の選択では、詳細は後述するが、変換可能装置が行う変換処理の優劣を表すレベル情報に基づいて、実行装置が選択される。
【０１７６】
ラジオボタンB2が操作された場合、DVDプレーヤ２１が、実行装置として選択される。同様に、ラジオボタンB3が選択された場合には、AVアンプ２２が実行装置として選択され、ラジオボタンB4が選択された場合には、TV２３が実行装置として選択される。
【０１７７】
次に、図２のAVシステムにおいて、DVDプレーヤ２１がDVDから再生した画像を、TVで表示する場合の、HDMI(R)ソースとしてのDVDプレーヤ２１、HDMI(R)リピータとしてのAVアンプ２２、及び、HDMI(R)シンクとしてのTV２３が行う処理について説明する。
【０１７８】
まず、図９を参照して、HDMI(R)ソースとしてのDVDプレーヤ２１の処理について説明する。
【０１７９】
図９は、DVDプレーヤ２１の処理を説明するフローチャートである。
【０１８０】
DVDプレーヤ２１（のCPU１０１）は、例えば、電源がオンにされると、ステップＳ１１において、HDMI(R)を介して直接又は間接的に接続されているHDMI(R)装置、すなわち、本実施の形態では、AVアンプ２２、及びTV２３に対して、機器情報を要求して取得する。
【０１８１】
すなわち、DVDプレーヤ２１は、AVアンプ２２、及びTV２３に対して、EDIDを要求し、その要求に応じて、AVアンプ２２から送信されてくるEDIDと、TV２３からAVアンプ２２を介して送信されてくるEDIDとを受信することにより取得する。
【０１８２】
ここで、HDMI(R)装置のEDIDには、そのHDMI(R)装置のブランドや、モデル番号、サポートしている画像信号のフォーマット（例えば、画像の解像度等）等の、そのHDMI(R)装置に関する機器情報が含まれている。
【０１８３】
また、HDMI(R)装置の機器情報には、そのHDMI(R)装置が、画像信号のフォーマットを変換する変換処理が可能であるかどうかを表す可否情報も含まれている。
【０１８４】
DVDプレーヤ２１は、ステップＳ１１において、AVアンプ２２、及びTV２３の機器情報を取得すると、処理は、ステップＳ１２に進み、ステップＳ１１で取得したAVアンプ２２、及びTV２３の機器情報に含まれる可否情報を参照することで、変換可能装置を認識する。
【０１８５】
ここで、上述したように、本実施の形態では、DVDプレーヤ２１、AVアンプ２２、及びTV２３は、すべて、変換可能装置であり、したがって、ステップＳ１２では、DVDプレーヤ２１は、DVDプレーヤ２１、AVアンプ２２、及びTV２３のすべてを、変換可能装置として認識する。
【０１８６】
さらに、ステップＳ１２では、DVDプレーヤ２１は、変換可能装置のすべてについて、レベル情報を取得し、処理は、ステップＳ１３に進む。
【０１８７】
ここで、レベル情報とは、HDMI(R)装置が、変換可能装置である場合、つまり、HDMI(R)装置が、画像信号のフォーマットを変換する変換処理が可能である場合に、その変換処理の優劣を表す情報で、EDID（EDIDの機器情報、又は、機器情報以外の部分）に含めておくことができる。また後述するように、各装置のＲＯＭに含めることも可能である。
【０１８８】
この場合、HDMI(R)ソースとしてのDVDプレーヤ２１において、変換可能装置のEDIDを取得することによって、レベル情報も取得することができる。また変換可能装置のＲＯＭに、レベル情報が含まれている場合、HDMI(R)のＣＥＣライン等を介して取得することもできる。
【０１８９】
また、HDMI(R)ソースとしてのDVDプレーヤ２１において、レベル情報は、例えば、インターネットのサイト等の外部ネットワークからダウンロードすることにより取得することができる。またメモリーステック（Ｒ）やＳＤカード、ＵＳＢメモリーなどの外部メモリーを挿入するインタフェースを備えている場合は、その外部メモリー用インタフェース（図３での記載は省略されている）を介して、取得することもできる。
【０１９０】
すなわち、例えば、変換可能装置の各メーカが、その変換可能装置を特定するモデル番号と対応付けて、その変換可能装置が行う変換処理のレベル情報を、インターネットのサイト上で公開（提供）している場合には、HDMI(R)ソースとしてのDVDプレーヤ２１は、変換可能装置から取得した機器情報に含まれるモデル番号と対応付けられているレベル情報を、ネットワークインターフェース（図３での記載は省略されている）を介して、インターネットのサイトからダウンロードすることにより取得することができる。
【０１９１】
なお、変換可能装置のレベル情報は、上述したように、変換処理の優劣を表すが、その優劣は、例えば、メーカで決定することができる。例えば、レベル情報は、より新しいモデルの変換可能装置の変換処理ほど、優秀であるように決定することができる。
【０１９２】
ステップＳ１３では、DVDプレーヤ２１は、DVDプレーヤ２１自身の処理モードが、マニュアルモード、オートモード、又はセレクトモードのうちのいずれに設定されているかを判定する。
【０１９３】
ステップＳ１３において、DVDプレーヤ２１自身の処理モードがマニュアルモードに設定されていると判定された場合、処理は、ステップＳ１４に進み、DVDプレーヤ２１（図３）において、CPU１０１は、画像処理部１０８を制御することにより、DVD再生部１０７で再生された画像信号を、マニュアルモードで設定されたフォーマットの画像信号に変換させ、処理は、ステップＳ１８に進む。
【０１９４】
すなわち、マニュアルモードでは、例えば、図７に示したように、画像信号のフォーマットを、480pや720p等の複数のフォーマットのうちのいずれかに設定することができる。ステップＳ１４では、画像処理部１０８において、DVD再生部１０７で再生された画像信号が、マニュアルモードで設定されたフォーマット（以下、適宜、設定フォーマットという）の画像信号に変換される。
【０１９５】
一方、ステップＳ１３において、DVDプレーヤ２１自身の処理モードがオートモードに設定されていると判定された場合、処理は、ステップＳ１５に進み、DVDプレーヤ２１は、DVDプレーヤ２１自身を実行装置に選択して、処理は、ステップＳ１６に進む。
【０１９６】
ステップＳ１６では、DVDプレーヤ２１は、被制御変換可能装置、つまり、変換可能装置のうちの、DVDプレーヤ２１自身を除く変換可能装置すべて（本実施の形態では、AVアンプ２２、及び、TV２３）に、変換処理の実行の禁止を指令する制御信号（以下、適宜、禁止信号という）を送信して、処理は、ステップＳ１７に進む。
【０１９７】
すなわち、DVDプレーヤ２１（図３）では、CPU１０１が、HDMI(R)制御部１０５を介して、HDMI(R)送信部１０６を制御することにより、HDMI(R)のCECライン（図６）を介して、禁止信号を、AVアンプ２２、及び、TV２３に送信する。
【０１９８】
ステップＳ１７では、DVDプレーヤ２１は、HDMI(R)シンクとしてのTV２３がサポートする画像信号のフォーマット（以下、適宜、サポートフォーマットという）を、ステップＳ１１で取得したTV２３の機器情報から認識する。
【０１９９】
さらに、ステップＳ１７では、実行装置に選択されたDVDプレーヤ２１は、画像処理部１０８（図３）において、DVD再生部１０７で再生された画像信号を、サポートフォーマットの画像信号に変換し、処理は、ステップＳ１８に進む。
【０２００】
ステップＳ１８では、DVDプレーヤ２１は、画像処理部１０８でフォーマットを変換した変換後の画像信号を、HDMI(R)送信部１０６から、HDMI(R)のTMDSチャンネル#0ないし#2を介して、AVアンプ２２に送信して、処理は、ステップＳ２０に進む。
【０２０１】
一方、ステップＳ１３において、DVDプレーヤ２１自身の処理モードがセレクトモードに設定されていると判定された場合、処理は、ステップＳ１９に進み、DVDプレーヤ２１は、後述するセレクトモード処理を行って、処理は、ステップＳ２０に進む。
【０２０２】
ステップＳ２０では、DVDプレーヤ２１は、ユーザがDVDプレーヤ２１自身の処理モードを変更したかどうかを判定する。ステップＳ２０において、DVDプレーヤ２１自身の処理モードが変更されたと判定された場合、処理は、ステップＳ１３に戻り、以下、同様の処理が繰り返される。
【０２０３】
また、ステップＳ２０において、DVDプレーヤ２１自身の処理モードが変更されていないと判定された場合、処理は、ステップＳ２１に進み、DVDプレーヤ２１は、ユーザが電源をオフする操作（オフ操作）を行ったか否かを判定する。
【０２０４】
ステップＳ２１において、オフ操作が行われていないと判定された場合、処理は、ステップＳ２０に戻り、以下、同様の処理が繰り返される。
【０２０５】
また、ステップＳ２１において、オフ操作が行われたと判定された場合、DVDプレーヤ２１の電源がオフにされ、処理は、終了する。
【０２０６】
次に、図１０を参照して、図９のステップＳ１９で行われるセレクトモード処理について説明する。
【０２０７】
セレクトモード処理では、ステップＳ３１において、DVDプレーヤ２１が、変換可能装置のすべてのレベル情報を取得することができたかどうかを判定する。
【０２０８】
ステップＳ３１において、変換可能装置のすべてのレベル情報を取得することができたと判定された場合、すなわち、本実施の形態では、DVDプレーヤ２１が、DVDプレーヤ２１、AVアンプ２２、及びTV２３のすべてのレベル情報を取得することができている場合、処理は、ステップＳ３２に進み、DVDプレーヤ２１は、AVアンプ２２を介して、TV２３を制御することにより、おまかせモードが選択可能な解像度設定メニュー（図８）を表示させ、処理は、ステップＳ３４に進む。
【０２０９】
また、ステップＳ３１において、変換可能装置の少なくとも一部のレベル情報を取得することができなかったと判定された場合、すなわち、例えば、変換可能装置であるDVDプレーヤ２１、AVアンプ２２、及びTV２３の中に、メーカが、まだ、レベル情報を公開していない変換可能装置があり、その変換可能装置のレベル情報を取得することができなかった場合、処理は、ステップＳ３３に進み、DVDプレーヤ２１は、AVアンプ２２を介して、TV２３を制御することにより、おまかせモードが選択できない状態の解像度設定メニュー（図８）を表示させ、処理は、ステップＳ３４に進む。
【０２１０】
ここで、おまかせモードが選択できない状態とは、解像度設定メニュー（図８）において、おまかせモードを選択するためのラジオボタンB1を、いわゆるグレーアウトで表示することや、ラジオボタンB1、及び、「おまかせモード」の文字を表示しないことによって、ユーザが、ラジオボタンB1を選択することができない状態を意味する。
【０２１１】
ステップＳ３４では、ユーザが、解像度設定メニュー（図８）から、HDMI(R)ソースであるDVDプレーヤ２１を選択したかどうかを、DVDプレーヤ２１が判定する。
【０２１２】
ステップＳ３４において、ユーザが、解像度設定メニューから、HDMI(R)ソースであるDVDプレーヤ２１を選択したと判定された場合、すなわち、ユーザが、解像度設定メニュー（図８）のラジオボタンB2を操作した場合、処理は、ステップＳ３５に進み、DVDプレーヤ２１は、DVDプレーヤ２１自身を、実行装置として選択し、処理は、ステップＳ３６に進む。
【０２１３】
ステップＳ３６では、DVDプレーヤ２１は、被制御変換可能装置、つまり、変換可能装置のうちの、DVDプレーヤ２１自身を除く変換可能装置すべて（本実施の形態では、AVアンプ２２、及び、TV２３）に、禁止信号を送信して、処理は、ステップＳ３７に進む。
【０２１４】
すなわち、DVDプレーヤ２１（図３）では、CPU１０１が、HDMI(R)制御部１０５を介して、HDMI(R)送信部１０６を制御することにより、HDMI(R)のCECライン（図６）を介して、禁止信号を、AVアンプ２２、及び、TV２３に送信する。
【０２１５】
ステップＳ３７では、DVDプレーヤ２１は、HDMI(R)シンクとしてのTV２３のサポートフォーマットを、図９のステップＳ１１で取得したTV２３の機器情報から認識する。
【０２１６】
さらに、ステップＳ３７では、実行装置に選択されたDVDプレーヤ２１は、画像処理部１０８（図３）において、DVD再生部１０７で再生された画像信号を、サポートフォーマットの画像信号に変換し、処理は、ステップＳ３８に進む。
【０２１７】
ステップＳ３８では、DVDプレーヤ２１は、画像処理部１０８でフォーマットを変換した変換後の画像信号を、HDMI(R)送信部１０６から、HDMI(R)のTMDSチャンネル#0ないし#2を介して、AVアンプ２２に送信する。
【０２１８】
一方、ステップＳ３４において、ユーザが、解像度設定メニューから、HDMI(R)ソースであるDVDプレーヤ２１を選択していないと判定された場合、処理は、ステップＳ３９に進み、ユーザが、解像度設定メニュー（図８）から、HDMI(R)ソースであるDVDプレーヤ２１以外の変換可能装置である被制御変換可能装置（本実施の形態では、AVアンプ２２、又は、TV２３）を選択したかどうかを、DVDプレーヤ２１が判定する。
【０２１９】
ステップＳ３９において、ユーザが、被制御変換可能装置（本実施の形態では、AVアンプ２２、又は、TV２３）を選択したと判定された場合、すなわち、ユーザが、解像度設定メニュー（図８）のラジオボタンB3又はB4を操作した場合、処理は、ステップＳ４０に進み、DVDプレーヤ２１は、ユーザが選択した被制御変換可能装置を、実行装置として選択し、処理は、ステップＳ４１に進む。
【０２２０】
ステップＳ４１では、DVDプレーヤ２１は、HDMI(R)シンクとしてのTV２３のサポートフォーマットを、図９のステップＳ１１で取得したTV２３の機器情報から認識する。
【０２２１】
さらに、ステップＳ４１では、DVDプレーヤ２１は、被制御変換可能装置のうちの、実行装置に、サポートフォーマットへの変換を行う変換処理の実行を指令する制御信号（以下、適宜、実行信号という）を送信するとともに、被制御変換可能装置のうちの実行装置でない被制御変換可能装置に、禁止信号を送信し、処理は、ステップＳ４２に進む。
【０２２２】
すなわち、DVDプレーヤ２１（図３）では、CPU１０１が、HDMI(R)制御部１０５を介して、HDMI(R)送信部１０６を制御することにより、HDMI(R)のCECライン（図６）を介して、実行信号を、AVアンプ２２、及び、TV２３のうちの実行装置に送信するとともに、禁止信号を、残りの装置に送信する。
【０２２３】
ステップＳ４２では、実行装置に選択されなかったDVDプレーヤ２１は、DVD再生部１０７で再生された画像信号を、そのままのフォーマットで、HDMI(R)送信部１０６（図３）から、HDMI(R)のTMDSチャンネル#0ないし#2を介して、AVアンプ２２に送信する。
【０２２４】
一方、ステップＳ３９において、ユーザが、被制御変換可能装置を選択しなかったと判定された場合、処理は、ステップＳ４３に進み、ユーザが、解像度設定メニュー（図８）から、おまかせモードを選択したかどうかを、DVDプレーヤ２１が判定する。
【０２２５】
ここで、ステップＳ３３において、おまかせモードが選択できない状態の解像度設定メニューが表示された場合には、ステップＳ３９において、ユーザが、被制御変換可能装置を選択しなかったと判定されると、処理は、ステップＳ４３をスキップして、ステップＳ３４に戻る。
【０２２６】
ステップＳ４３において、ユーザが、おまかせモードを選択していないと判定された場合、処理は、ステップＳ３４に戻る。
【０２２７】
また、ステップＳ４３において、ユーザが、おまかせモードを選択したと判定された場合、すなわち、ユーザが、解像度設定メニュー（図８）のラジオボタンB1を操作した場合、処理は、ステップＳ４４に進み、DVDプレーヤ２１は、図９のステップＳ１２で取得したレベル情報に基づき、最も優秀な変換処理を行う変換可能装置を、実行装置として選択して、処理は、ステップＳ４５に進む。
【０２２８】
すなわち、例えば、いま、変換処理が、レベルA,B,Cの順で優秀であり、DVDプレーヤ２１のレベル情報がレベルBを、AVアンプ２２のレベル情報がレベルAを、TV２３のレベル情報がレベルCを、それぞれ表している場合には、レベル情報がレベルAを表しているAVアンプ２２が、実行装置として選択される。
【０２２９】
ステップＳ４５では、DVDプレーヤ２１が、実行装置がHDMI(R)ソースであるDVDプレーヤ２１自身であるかどうかを判定する。
【０２３０】
ステップＳ４５において、実行装置がHDMI(R)ソースであると判定された場合、処理は、ステップＳ３６に進み、以下、ステップＳ３５でHDMI(R)ソースであるDVDプレーヤ２１が実行装置に選択された場合と同様の処理が行われる。
【０２３１】
また、ステップＳ４５において、実行装置がHDMI(R)ソースでないと判定された場合、すなわち、実行装置が、被制御変換可能装置であると判定された場合、処理は、ステップＳ４１に進み、以下、ステップＳ４０で被制御変換可能装置が実行装置に選択された場合と同様の処理が行われる。
【０２３２】
そして、DVDプレーヤ２１が、ステップＳ３８又はＳ４２で、画像信号を、AVアンプ２２に送信した後は、いずれの場合も、処理は、ステップＳ４６に進み、DVDプレーヤ２１は、ユーザが、実行装置を確定する操作（確定操作）を行ったかどうかを判定する。
【０２３３】
ステップＳ４６において、確定操作が行われていないと判定された場合、処理は、ステップＳ３４に戻り、以下、同様の処理が繰り返される。
【０２３４】
また、ステップＳ４６において、確定操作が行われたと判定された場合、処理は、ステップＳ４７に進み、DVDプレーヤ２１は、AVアンプ２２を介して、TV２３を制御することにより、ステップＳ３２又はＳ３３で表示した解像度設定メニュー（図８）を閉じさせ（消去させ）、処理は、リターンする。
【０２３５】
次に、図１１は、HDMI(R)リピータとしてのAVアンプ２２の処理を説明するフローチャートである。
【０２３６】
AVアンプ２２（のCPU２０１）は、例えば、電源がオンにされると、ステップＳ６１において、HDMI(R)ソースであるDVDプレーヤ２１からのEDIDの要求を待って、AVアンプ２２のEDIDを、DVDプレーヤ２１に送信することにより提供して、処理は、ステップＳ６２に進む。
【０２３７】
ステップＳ６２では、AVアンプ２２は、HDMI(R)ソースであるDVDプレーヤ２１から、AVアンプ２２宛の禁止信号が送信されてきたかどうかを判定する。
【０２３８】
ステップＳ６２において、禁止信号が送信されてきたと判定された場合、すなわち、AVアンプ２２（図４）において、HDMI(R)受信部２１４が、HDMI(R)のCECライン（図６）を介して、（AVアンプ２２宛の）禁止信号を受信した場合、処理は、ステップＳ６３に進み、AVアンプ２２は、変換処理を行わないように、画像処理部２０９を制御するとともに、DVDプレーヤ２１から送信されてくる画像信号を、そのままのフォーマットで、TV２３に送信して、処理は終了する。
【０２３９】
すなわち、AVアンプ２２（図４）では、DVDプレーヤ２１から、HDMI(R)のTMDSチャンネル#0ないし#2を介して送信されてくる画像信号が、HDMI(R)受信部２１４で受信され、HDMI(R)制御部２１２、及びHDMI(R)制御部２０５を介して、HDMI(R)送信部２０４に供給される。
【０２４０】
そして、HDMI(R)送信部２０４は、DVDプレーヤ２１からの画像信号を、HDMI(R)のTMDSチャンネル#0ないし#2を介して、TV２３に送信する。
【０２４１】
一方、ステップＳ６２において、禁止信号が送信されてきていないと判定された場合、処理は、ステップＳ６４に進み、AVアンプ２２は、HDMI(R)ソースであるDVDプレーヤ２１から、AVアンプ２２宛の実行信号が送信されてきたかどうかを判定する。
【０２４２】
ステップＳ６４において、実行信号が送信されてきたと判定された場合、すなわち、AVアンプ２２（図４）において、HDMI(R)受信部２１４が、HDMI(R)のCECライン（図６）を介して、（AVアンプ２２宛の）実行信号を受信した場合、処理は、ステップＳ６５に進み、AVアンプ２２は、DVDプレーヤ２１から送信されてくる画像信号を、実行信号に従ったフォーマットに変換する変換処理を行うように、画像処理部２０９を制御し、処理は、ステップＳ６６に進む。
【０２４３】
すなわち、AVアンプ２２（図４）では、DVDプレーヤ２１から、HDMI(R)のTMDSチャンネル#0ないし#2を介して送信されてくる画像信号が、HDMI(R)受信部２１４で受信され、HDMI(R)制御部２１２を介して、画像処理部２０９に供給される。
【０２４４】
画像処理部２０９は、DVDプレーヤ２１からの画像信号を、実行信号に従ったフォーマットに変換し、その変換後の画像信号を、HDMI(R)制御部２０５を介して、HDMI(R)送信部２０４に供給する。
【０２４５】
ステップＳ６６では、AVアンプ２２は、画像処理部２０９でフォーマットを変換した変換後の画像信号を、HDMI(R)送信部２０４から、HDMI(R)のTMDSチャンネル#0ないし#2を介して、TV２３に送信し、処理を終了する。
【０２４６】
一方、ステップＳ６４において、実行信号が送信されてきていないと判定された場合、すなわち、DVDプレーヤ２１から、AVアンプ２２宛に、禁止信号及び実行信号のいずれも送信されてきていない場合、処理は、ステップＳ６７に進み、AVアンプ２２は、AVアンプ２２自身の処理モードが、マニュアルモードであるかどうかを判定する。
【０２４７】
ステップＳ６７において、AVアンプ２２自身の処理モードがマニュアルモードでないと判定された場合、すなわち、AVアンプ２２自身の処理モードが、オートモード、又はセレクトモードのうちのいずれかである場合、処理は、ステップＳ６３に進み、以下、上述の場合と同様の処理が行われる。
【０２４８】
また、ステップＳ６７において、AVアンプ２２自身の処理モードがマニュアルモードであると判定された場合、処理は、ステップＳ６８に進み、AVアンプ２２（図４）において、CPU２０１は、画像処理部２０９を制御することにより、DVDプレーヤ２１から送信され、HDMI(R)受信部２１４で受信された画像信号を、マニュアルモードで設定されたフォーマットの画像信号に変換させ、処理は、ステップＳ６９に進む。
【０２４９】
すなわち、マニュアルモードでは、例えば、図７に示したように、画像信号のフォーマットを、480pや720p等の複数のフォーマットのうちのいずれかに設定することができる。ステップＳ６８では、画像処理部２０９において、DVDプレーヤ２１からの画像信号が、マニュアルモードで設定されたフォーマット（設定フォーマット）の画像信号に変換される。
【０２５０】
ステップＳ６９では、AVアンプ２２は、画像処理部２０９でフォーマットを変換した変換後の画像信号を、HDMI(R)送信部２０４から、HDMI(R)のTMDSチャンネル#0ないし#2を介して、TV２３に送信して、処理を終了する。
【０２５１】
以上のように、AVアンプ２２では、DVDプレーヤ２１から禁止信号、又は実行信号が送信されてきた場合には、処理モードにかかわらず、DVDプレーヤ２１からの禁止信号、又は実行信号に従って、変換処理の実行が制御される。
【０２５２】
なお、AVアンプ２２では、AVアンプ２２の処理モードがAVアンプ２２自身のマニュアルモードである場合には、DVDプレーヤ２１からの禁止信号、及び実行信号に関係なく、DVDプレーヤ２１からの画像信号を、AVアンプ２２自身のマニュアルモードで設定された設定フォーマットの画像信号に変換するようにすることが可能である。
【０２５３】
次に、図１２は、HDMI(R)シンクとしてのTV２３の処理を説明するフローチャートである。
【０２５４】
TV２３（のCPU３０１）は、例えば、電源がオンにされると、ステップＳ８１において、HDMI(R)ソースであるDVDプレーヤ２１からのEDIDの要求を待って、TV２３のEDIDを、AVアンプ２２を介して、DVDプレーヤ２１に送信することにより提供して、処理は、ステップＳ８２に進む。
【０２５５】
ステップＳ８２では、TV２３は、HDMI(R)ソースであるDVDプレーヤ２１から、TV２３宛の禁止信号が、AVアンプ２２を介して送信されてきたかどうかを判定する。
【０２５６】
ステップＳ８２において、禁止信号が送信されてきたと判定された場合、すなわち、TV２３（図５）において、HDMI(R)受信部３１６が、HDMI(R)のCECライン（図６）を介して、（TV２３宛の）禁止信号を受信した場合、TV２３は、変換処理を行わないように、画像処理部３０４を制御して、処理は、ステップＳ８７に進む。
【０２５７】
すなわち、TV２３（図５）では、DVDプレーヤ２１から、AVアンプ２２を経由し、HDMI(R)のTMDSチャンネル#0ないし#2を介して送信されてくる画像信号が、HDMI(R)受信部３１６で受信され、HDMI(R)制御部３１５を介して、画像処理部３０４に供給される。
【０２５８】
画像処理部３０４は、HDMI(R)受信部３１６からHDMI(R)制御部３１５を介して供給される画像信号に変換処理を施さずに、その画像信号を、画像駆動部３０５に供給する。
【０２５９】
一方、ステップＳ８２において、禁止信号が送信されてきていないと判定された場合、処理は、ステップＳ８３に進み、TV２３は、HDMI(R)ソースであるDVDプレーヤ２１から、TV２３宛の実行信号が、AVアンプ２２を介して送信されてきたかどうかを判定する。
【０２６０】
ステップＳ８３において、実行信号が送信されてきたと判定された場合、すなわち、TV２３（図５）において、HDMI(R)受信部３１６が、HDMI(R)のCECライン（図６）を介して、（TV２３宛の）実行信号を受信した場合、処理は、ステップＳ８４に進み、TV２３は、DVDプレーヤ２１から送信されてくる画像信号を、実行信号に従ったフォーマットに変換する変換処理を行うように、画像処理部３０４を制御し、処理は、ステップＳ８７に進む。
【０２６１】
すなわち、TV２３（図５）では、DVDプレーヤ２１から、AVアンプ２２を経由して、HDMI(R)のTMDSチャンネル#0ないし#2を介して送信されてくる画像信号が、HDMI(R)受信部３１６で受信され、HDMI(R)制御部３１５を介して、画像処理部３０４に供給される。
【０２６２】
画像処理部３０４は、DVDプレーヤ２１からの画像信号を、実行信号に従ったフォーマットに変換し、その変換後の画像信号を、画像駆動部３０５に供給する。
【０２６３】
一方、ステップＳ８３において、実行信号が送信されてきていないと判定された場合、すなわち、DVDプレーヤ２１から、TV２３宛に、禁止信号及び実行信号のいずれも送信されてきていない場合、処理は、ステップＳ８５に進み、TV２３は、TV２３の処理モードが、マニュアルモードであるかどうかを判定する。
【０２６４】
ステップＳ８５において、処理モードがマニュアルモードでないと判定された場合、すなわち、処理モードが、オートモード、又はセレクトモードのうちのいずれかである場合、処理は、ステップＳ８６をスキップして、ステップＳ８７に進む。
【０２６５】
この場合、TV２３（図５）では、DVDプレーヤ２１から、AVアンプ２２を経由し、HDMI(R)のTMDSチャンネル#0ないし#2を介して送信されてくる画像信号は、HDMI(R)受信部３１６で受信され、HDMI(R)制御部３１５を介して、画像処理部３０４に供給される。
【０２６６】
画像処理部３０４は、HDMI(R)受信部３１６からHDMI(R)制御部３１５を介して供給される画像信号に変換処理を施さずに、その画像信号を、画像駆動部３０５に供給する。
【０２６７】
また、ステップＳ８５において、処理モードがマニュアルモードであると判定された場合、処理は、ステップＳ８６に進み、TV２３（図５）において、CPU３０１は、画像処理部３０４を制御することにより、DVDプレーヤ２１から送信され、AVアンプ２２を介して、HDMI(R)受信部３１６で受信された画像信号を、マニュアルモードで設定されたフォーマットの画像信号に変換させ、処理は、ステップＳ８７に進む。
【０２６８】
すなわち、マニュアルモードでは、例えば、図７に示したように、画像信号のフォーマットを、480pや720p等の複数のフォーマットのうちのいずれかに設定することができる。ステップＳ８６では、画像処理部３０４において、DVDプレーヤ２１からの画像信号が、マニュアルモードで設定されたフォーマット（設定フォーマット）の画像信号に変換され、画像駆動部３０５に供給される。
【０２６９】
ステップＳ８７では、TV２３では、画像駆動部３０５が、ディスプレイ３０６を駆動することにより、画像処理部３０４からの画像信号に対応する画像を表示させ、処理を終了する。
【０２７０】
以上のように、TV２３でも、AVアンプ２２と同様に、DVDプレーヤ２１から禁止信号、又は実行信号が送信されてきた場合には、処理モードにかかわらず、DVDプレーヤ２１からの禁止信号、又は実行信号に従って、変換処理の実行が制御される。
【０２７１】
なお、TV２３において、画像処理部３０４は、HDMI(R)受信部３１６で受信された画像信号のフォーマットが、TV２３がサポートするサポートフォーマット（ディスプレイ３０６で表示することができる画像のフォーマット）ではない場合、その画像信号を、サポートフォーマットの画像信号に変換し、その変換後の画像信号を、画像駆動部３０５に供給する。
【０２７２】
また、TV２３では、TV２３の処理モードがTV２３自身のマニュアルモードである場合には、DVDプレーヤ２１からの禁止信号、及び実行信号に関係なく、DVDプレーヤ２１からAVアンプ２２を介して供給される画像信号を、TV２３自身のマニュアルモードで設定された設定フォーマットの画像信号に変換するようにすることが可能である。
【０２７３】
以上のように、HDMI(R)ソースであるDVDプレーヤ２１では、変換処理が可能であるかどうかを表す可否情報を少なくとも含む、HDMI(R)を介して接続されたAVアンプ２２、及びTV２３それぞれに関する機器情報を取得し、DVDプレーヤ２１、AVアンプ２２、及びTV２３が変換可能装置であることを認識する。
【０２７４】
さらに、DVDプレーヤ２１は、セレクトモードにおいて、変換可能装置の中から、１つの装置を実行装置として選択し、実行装置が、DVDプレーヤ２１である場合には、変換可能装置のうちの被制御変換可能装置（AVアンプ２２、及びTV２３）すべてに、変換処理の禁止を、CECラインを介して指令し、実行装置が、被制御変換可能装置のうちの１つである場合には、その被制御変換可能装置のうちの実行装置に、変換処理の実行を、CECラインを介して指令するとともに、他の装置に、変換処理の禁止を、CECラインを介して指令する。
【０２７５】
一方、被制御変換可能装置であるAVアンプ２２、及びTV２３では、変換処理が可能であるかどうかを表す可否情報を少なくとも含む機器情報を、HDMI(R)ソースであるDVDプレーヤ２１に提供し、変換処理が可能である場合には、CECラインを介しての、DVDプレーヤ２１からの指令に従い、変換処理の実行を制御する。
【０２７６】
したがって、DVDプレーヤ２１、AVアンプ２２、及び、TV２３のうちの１つだけが実行装置として選択され、その実行装置でのみ、変換処理が行われるので、適切な変換処理を行うことができる。
【０２７７】
すなわち、DVDプレーヤ２１、AVアンプ２２、及び、TV２３のうちの、複数で変換処理が行われ、その結果、ある装置で行われる変換処理が、他の装置で行われる変換処理に、悪影響を及ぼし、その結果、最終的に、TV２３で表示される画像の画質が劣化することを防止することができる。
【０２７８】
また、マニュアルモードでは、DVDプレーヤ２１、AVアンプ２２、及びTV２３のそれぞれを操作して、変換処理による変換後の画像信号のフォーマットを設定する操作をする必要があるのに対して、セレクトモードでは、変換可能装置の中からの実行装置の選択は、解像度設定メニュー（図８）に対するユーザの操作に応じて行われ、さらに、ユーザの操作に応じて選択された実行装置で行われた変換処理の結果得られる画像信号に対応する画像が、TV２３に表示される。
【０２７９】
したがって、ユーザは、TV２３に表示された画像を見ながら、ユーザの好みの画質の画像信号に変換する変換可能装置を容易に選択することができる。
【０２８０】
さらに、おまかせモードが選択された場合には、変換可能装置の中からの実行装置の選択は、レベル情報に基づいて行われるので、最も優秀な変換処理によって、画像信号のフォーマットを変換することができる。
【０２８１】
以上、本発明を、画像信号のフォーマットを変換する変換処理に適用した場合について説明したが、本発明は、その他、例えば、音声信号のフォーマット（例えば、サンプリングレート等）を変換する場合にも適用可能である。
【０２８２】
なお、本実施の形態では、DVDプレーヤ２１に接続されたAVアンプ２２及びTV２３のすべてが変換可能装置であることとしたが、AVアンプ２２及びTV２３のうちの一方が変換可能装置でない場合には、その変換可能装置でないHDMI(R)装置に対して、DVDプレーヤ２１から、禁止信号及び実行信号は送信されない。また、変換可能装置でないHDMI(R)装置では、図１１や図１２に示したフローチャートの処理は、行われない。さらに、解像度設定メニュー（図８）では、変換可能装置でないHDMI(R)装置に関する表示は、行われない。
【０２８３】
また、本実施の形態では、インタフェースとして、HDMI(R)を採用したが、本発明は、HDMI(R)の他、ベースバンドの信号を一方向に送信する信号チャンネルと、制御に利用される双方向の制御チャンネルとを少なくとも有するインタフェースに適用可能である。
【０２８４】
ここで、本明細書において、コンピュータ（CPU１０１（図３）、CPU２０１（図４）、CPU３０１（図５））に各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０２８５】
また、プログラムは、１のコンピュータにより処理されるものであっても良いし、複数のコンピュータによって分散処理されるものであっても良い。
【０２８６】
なお、本発明の実施の形態は、上述した実施の形態に限定されるものではなく、本発明の要旨を逸脱しない範囲において種々の変更が可能である。
【０２８７】
例えば、本実施の形態では、HDMI(R)ソースであるDVDプレーヤ２１を、実行信号又は禁止信号を送信する、いわゆるマスタとし、HDMI(R)リピータであるAVアンプ２２、及び、HDMI(R)シンクであるTV２３を、マスタからの実行信号又は禁止信号に従って処理を行う、いわゆるスレーブとしたが、その他、例えば、HDMI(R)シンクであるTV２３をマスタとするとともに、HDMI(R)ソースであるDVDプレーヤ２１、及び、HDMI(R)リピータであるAVアンプ２２をスレーブとして、マスタであるTV２３から、実行信号又は禁止信号をスレーブに送信し、スレーブであるDVDプレーヤ２１、及びAVアンプ２２において、マスタからの実行信号又は禁止信号に従って処理を行うようにすることができる。つまり、DVDプレーヤ２１がマスタの場合には、図７に示した処理モードの遷移を切り替えるフォーマットボタンや、図８に示した解像度設定メニューを、DVDプレーヤ２１が備えることになるが、ＴＶ２３がマスターの場合には、図７に相当する処理モードの遷移を切り替えるフォーマットボタンと、図８に相当する解像度設定メニュー（ＴＶ用解像度設定メニュー）をＴＶ２３側が備えることになる。ＴＶ用の処理モードの遷移図と解像度設定メニューは、図７と図８とほとんど同等である為、図示は省略する。
【０２８８】
またＴＶ２３がマスターの場合に、図９と図１０に相当する処理をＴＶ２３側が行うことになるが、図９と図１０におけるDVDプレーヤ２１とＴＶ２３の役割を入れ替えれば、その処理の流れは、ほとんど同等である為、詳細な説明は省略する。また図１２に相当する処理をDVDプレーヤ２１側が行うことになるが、図１２におけるDVDプレーヤ２１とＴＶ２３の役割を入れ替えれば、その処理の流れは、ほとんど同等である為、詳細な説明は省略する。
【０２８９】
また、HDMI(R)の仕様書（非特許文献１）のAppendix A Repeater(Page134)によれば、HDMI(R)リピータには、HDMI(R)シンクのEDIDをコピーし、HDMI(R)リピータのEDIDとして保存して、HDMI(R)シンクの鏡のように振る舞うモードと、HDMI(R)リピータがEDIDROMを持たないで、HDMI(R)ソースから要求があった場合に、HDMI(R)シンクのEDIDをフォワードするモードとがあるが、本発明は、いずれのモードにも適用可能である。
【０２９０】
さらに、本実施の形態では、EDIDROM４１３（図６）に記憶されたEDIDの機器情報に、可否情報が含まれていることとしたが、可否情報は、その他、例えば、ROM１０３（又は、ROM２０３や３０３）等の、EDIDROM４１３とは別の記憶部に記憶しておき、スレーブであるHDMI(R)装置は、別の記憶部に記憶された可否情報を、マスタであるHDMI(R)装置からの要求に応じて、提供することが可能である。上記提供方法として、例えば、HDMI(R)のCECラインを介して提供することが可能である。
【０２９１】
すなわち、例えば、HDMI(R)リピータは、上述したように、EDIDROMを持たないことがある。このように、EDIDROMを持たないHDMI(R)装置については、上述のような別の記憶部に可否情報を記憶しておき、マスタからの要求に応じて提供することが可能である。
【図面の簡単な説明】
【０２９２】
【図１】従来のAVシステムの一例の構成を示すブロック図である。
【図２】本発明を適用したAVシステムの一実施の形態の構成例を示すブロック図である。
【図３】DVDプレーヤ２１の構成例を示すブロック図である。
【図４】AVアンプ２２の構成例を示すブロック図である。
【図５】TV２３の構成例を示すブロック図である。
【図６】HDMI(R)送信部１０６、及び、HDMI(R)受信部２１４の構成例を示すブロック図である。
【図７】処理モードの遷移を説明する図である。
【図８】解像度設定メニューを示す図である。
【図９】DVDプレーヤ２１の処理を説明するフローチャートである。
【図１０】セレクトモード処理を説明するフローチャートである。
【図１１】AVアンプ２２の処理を説明するフローチャートである。
【図１２】TV２３の処理を説明するフローチャートである。
【符号の説明】
【０２９３】
１，２  ケーブル，  ２１  DVDプレーヤ，  ２２  AVアンプ，  ２３  TV，  １０１  CPU，  １０２  RAM，  １０３  ROM，  １０４  U/I制御部，  １０５  HDMI(R)制御部，  １０６  HDMI(R)送信部，  １０７  DVD再生部，  １０８  画像処理部，  １０９  音声処理部，  ２０１  CPU，  ２０２  RAM，  ２０３  ROM，  ２０４  HDMI(R)送信部，  ２０５  HDMI(R)制御部，  ２０６  U/I制御部，  ２０７  音声入力部，  ２０８  画像入力部，  ２０９  画像処理部，  ２１０  音声処理部，  ２１１  音声駆動部，  ２１２  HDMI(R)制御部，  ２１３  スピーカ，  ２１４  HDMI(R)受信部，  ３０１  CPU，  ３０２  RAM，  ３０３  ROM，  ３０４  画像処理部，  ３０５  画像駆動部，  ３０６  ディスプレイ，  ３０７  音声処理部，  ３０８  音声駆動部，  ３０９  スピーカ，  ３１０  U/I制御部，  ３１１  チューナ，  ３１２  復調部，  ３１３  分離部，  ３１５  HDMI(R)制御部，  ３１６  HDMI(R)受信部，  ４１１  トランスミッタ，  ４１２  レシーバ，  ４１３  EDIDROM
【図１】
0004561821.tif 000002
【図２】
0004561821.tif 000003
【図３】
0004561821.tif 000004
【図４】
0004561821.tif 000005
【図５】
0004561821.tif 000006
【図６】
0004561821.tif 000007
【図７】
0004561821.tif 000008
【図８】
0004561821.tif 000009
【図９】
0004561821.tif 000010
【図１０】
0004561821.tif 000011
【図１１】
0004561821.tif 000012
【図１２】
0004561821.tif 000013